(57)【要約】      （修正有）【課題】対象者の生体情報の検出精度を向上できる生体情報取得装置、及びそれを備えた人情報判定装置を提供する。【解決手段】生体情報取得装置には、対象者の体動が作用する中空のチューブ状の感圧チューブ２０と、感圧チューブ２０の内圧が作用するように感圧チューブ２０の長手方向の一端が接続され、内圧に応じた信号を出力する受圧部と、受圧部から出力された信号に基づいて上記対象者の生体情報を検出する生体情報検出部とが設けられる。感圧チューブ２０は、対象者が着座可能な座部６０の座面に全体が覆われるように該座部６０の内部に設けられる感圧部本体２２を有する。【選択図】図５
2016101307.tif 000002
【特許請求の範囲】
【請求項１】
対象者（H）の生体情報を取得する生体情報取得装置であって、
上記対象者（H）の体動が作用する中空のチューブ状の感圧チューブ（20）と、
上記感圧チューブ（20）の内圧が作用するように該感圧チューブ（20）の長手方向の一端が接続され、上記内圧に応じた信号を出力する受圧部（31）と、
上記受圧部（31）から出力された信号に基づいて上記対象者（H）の生体情報を検出する生体情報検出部（32）とを備え、
上記感圧チューブ（20）は、対象者（H）が着座可能な座部（60）の座面に全体が覆われるように該座部（60）の内部に設けられる感圧部本体（22）を有している
ことを特徴とする生体情報取得装置。
【請求項２】
請求項１において、
上記感圧部本体（22）は、上記座部（60）の後縁に沿う方向に延びている
ことを特徴とする生体情報取得装置。
【請求項３】
請求項１又は２において、
上記感圧チューブ（20）には、該感圧チューブ（20）の長手方向の両端のうち上記受圧部（31）が接続される端部と反対側の端部に開口（21a）が形成される
ことを特徴とする生体情報取得装置。
【請求項４】
請求項１乃至３のいずれか１つにおいて、
上記感圧チューブ（20）は、
上記感圧部本体（22）と上記受圧部（31）とに接続される中継部（23）を有し、
上記中継部（23）は、上記座部（60）の裏側に配設される
ことを特徴とする生体情報取得装置。
【請求項５】
請求項１乃至４のいずれか１つに記載の生体情報取得装置（45）を備えた人情報判定装置であって、
上記生体情報取得装置（45）の生体情報検出部（32）は、上記受圧部（31）から出力された信号に基づき対象者（H）の心拍ゆらぎを導出するように構成され、
上記心拍ゆらぎに基づいて上記対象者（H）のストレスの判定を行うストレス判定部（38）を備えている  
ことを特徴とする人情報判定装置。
【請求項６】
請求項１乃至４のいずれか１つに記載の生体情報取得装置（45）を備えた人情報判定装置であって、
上記生体情報取得装置（45）の上記生体情報検出部（32）は、上記受圧部（31）から出力された信号に基づき心拍ゆらぎを導出するように構成され、
上記心拍ゆらぎに基づいて上記対象者（H）の嘘の有無を判定する嘘判定部（41）を備えている
ことを特徴とする人情報判定装置。
【請求項７】
請求項１乃至４のいずれか１つに記載の生体情報取得装置（45）を備えた人情報判定装置であって、
上記生体情報取得装置（45）の上記生体情報検出部（32）は、上記受圧部（31）から出力された信号に基づき、対象者（H）の心拍ゆらぎ及び粗体動を導出するように構成され、
上記心拍ゆらぎ及び粗体動に基づいて上記対象者（H）が不審者であるか否かを判定する不審者判定部（39）を備えている
ことを特徴とする人情報判定装置。
【請求項８】
請求項１乃至４のいずれか１つに記載の生体情報取得装置（45）を備えた人情報判定装置であって、
上記生体情報取得装置（45）の上記生体情報検出部（32）は、上記対象者（H）の少なくとも心拍信号を検出するように構成され、
少なくとも上記心拍信号に基づいて、上記対象者（H）が座部（60）に存在しているか否かを判定する在・不在判定部（40）を備えている
ことを特徴とする人情報判定装置。
【発明の詳細な説明】
【技術分野】
【０００１】
本発明は、生体情報取得装置、及びそれを備えた人情報判定装置に関するものである。
【背景技術】
【０００２】
従来より、人体の生体情報を取得する生体情報取得装置が知られている。
【０００３】
例えば特許文献１に記載の生体情報取得装置は、図１に示すように、座部３の上側に配置された空気袋４と、生体情報検出手段２とを備えている。空気袋４は、座部３に座る対象者の尾てい骨に対応する位置に設けられる。同文献の図１０に示すように、空気袋４には、給排気手段７より開放された弁２０を通じて空気が封入される。
【０００４】
生体情報取得装置では、座部３上の対象者により空気袋４が圧迫され、これに伴い空気袋４の内圧が変化する。この内圧は、空気袋４に接続されたチューブを介して圧力検出手段５に検出され、この検出信号に基づき対象者の生体情報（体動、呼吸、心拍に関する信号）が取得される。
【先行技術文献】
【特許文献】
【０００５】
【特許文献１】特許第３９０６６４９号公報
【発明の概要】
【発明が解決しようとする課題】
【０００６】
特許文献１に記載の生体情報取得装置では、同文献の例えば図１、段落００３７等に記載からわかるように、空気袋４の上面が座部３の外部に露出した構成になっている。このため、対象者は、座部３に空気袋４が設置されていることを視認してしまう。このため、対象者は、空気袋４の存在を気づいた状態で、生体信号が検出されることになる。つまり、特許文献１の生体情報取得装置では、対象者が、空気袋４の存在に違和感を覚えて緊張した状態で、生体信号が検出されることがある。そうすると、このような状態で検出された生体信号は、通常の状態の対象者から検出される生体信号と異なる挙動を示すことがあり、対象者の生体情報の検出精度が低下してしまう恐れがある。
【０００７】
加えて、特許文献１に記載のように空気袋４を用いると、座部３の座面における空気袋４の占める面積の割合が比較的大きくなる。このため、対象者は、空気袋４の上にいることを感じ易くなるので、やはり違和感を覚えて緊張してしまうことがある。この結果、上述の如く、生体情報の検出精度が低下してしまう恐れがある。
【０００８】
本発明は、かかる点に鑑みてなされたものであり、その目的は、対象者の生体情報の検出精度を向上できる生体情報取得装置、及びそれを備えた人情報判定装置を提供することである。
【課題を解決するための手段】
【０００９】
第１の発明は、対象者（H）の生体情報を取得する生体情報取得装置を対象とし、対象者（H）の体動が作用する中空のチューブ状の感圧チューブ（20）と、該感圧チューブ（20）の内圧が作用するように該感圧チューブ（20）の長手方向の一端が接続され、上記内圧に応じた信号を出力する受圧部（31）と、該受圧部（31）から出力された信号に基づいて上記対象者（H）の生体情報を検出する生体情報検出部（32）とを備え、上記感圧チューブ（20）は、対象者（H）が着座可能な座部（60）の座面に全体が覆われるように該座部（60）の内部に設けられる感圧部本体（22）を有していることを特徴とする。
【００１０】
第１の発明では、中空のチューブ状の感圧チューブ（20）の感圧部本体（22）が座部（60）の内部に配置される。感圧部本体（22）は、その全体が座部（60）の座面に覆われる。このため、対象者（H）が感圧部本体（22）を視認することはない。また、感圧部本体（22）が、座部（60）の座面に覆われると、対象者（H）に感圧部本体（22）が直接触れることはない。また、感圧部本体（22）は、細長いチューブ状に形成される。このため、例えば空気袋と比較して、座部（60）の座面の面積に対する感圧部本体（22）の上面部の面積の割合は小さくなる。この結果、対象者（H）が感圧部本体（22）の存在を感じる可能性も小さくなる。
【００１１】
座部（60）に着座した対象者（H）の体動が感圧部本体（22）に作用すると、感圧チューブ（20）の内圧が変化する。感圧チューブ（20）の長手方向の一端に接続された受圧部（31）は、この内圧変化に応じた信号を出力する。生体情報検出部（32）は、この信号に基づいて対象者（H）の生体情報を検出する。
【００１２】
上述したように、対象者（H）は、感圧チューブ（20）の存在にほぼ気づくことはないため、対象者（H）が違和感を覚えたり、対象者（H）の緊張が高まったりすることを防止できる。この結果、受圧部（31）からは、通常状態の対象者（H）の生体信号が出力されるため、生体情報検出部（32）による対象者（H）の生体情報の検出精度が向上する。
【００１３】
第２の発明は、第１の発明において、上記感圧部本体（22）は、上記座部（60）の後縁に沿う方向に延びていることを特徴とする。
【００１４】
第２の発明では、感圧チューブ（20）の感圧部本体（22）が、座部（60）の後縁に沿う方向に延びて配置される。つまり、感圧部本体（22）は、座部（60）に座る対象者（H）を基準とすると、左右方向に延びることになる。従って、対象者（H）の着座位置が左右にずれたとしても、対象者（H）の体動を確実に感圧部本体（22）に作用させることができ、対象者（H）の生体情報の検出精度が向上する。
【００１５】
第３の発明は、第１又は第２の発明において、上記感圧チューブ（20）には、該感圧チューブ（20）の長手方向の両端のうち上記受圧部（31）が接続される端部と反対側の端部に開口（21a）が形成されることを特徴とする。
【００１６】
第３の発明では、感圧チューブ（20）の一方の端部に開口（21a）が形成される。つまり、感圧チューブ（20）は、内部に空気が封止される構造となっていない。しかし、対象者（H）の体動が感圧部本体（22）に作用すると、感圧チューブ（20）の内圧は変化するので、この内圧変化に伴う信号を受圧部（31）から出力できる。
【００１７】
このような構成の感圧チューブ（20）では、従来例の空気袋のように弁により空気を封止する必要がない。従来例の空気袋であれば、弁の周囲から徐々に空気が漏れることで、空気袋の内圧が減少し、検出信号の強度も低下してしまう。この結果、生体情報の検出精度が低下してしまう。これに対し、本発明の感圧チューブ（20）は、そもそも空気が封止される構造となっていないため、空気漏れに起因して生体情報の検出精度が低下してしまうこともない。
【００１８】
第４の発明は、第１乃至第３のいずれか１つの発明において、上記感圧チューブ（20）は、上記感圧部本体（22）と上記受圧部（31）とに接続される中継部（23）を有し、中継部（23）は、上記座部（60）の裏側に配設されることを特徴とする。
【００１９】
第４の発明では、感圧部本体（22）と受圧部（31）とを接続する中継部（23）が、座部（60）の裏側に配設される。このため、対象者（H）の目線からは、中継部（23）が目視できることはない。これにより、対象者（H）が感圧チューブ（20）の存在に気づいてしまうことを確実に防止できる。
【００２０】
第５の発明は、第１乃至第４のいずれか１つの発明の生体情報取得装置（45）を備え人情報判定装置を対象とし、上記生体情報取得装置（45）の生体情報検出部（32）は、上記受圧部（31）から出力された信号に基づき対象者（H）の心拍ゆらぎを導出するように構成され、上記心拍ゆらぎに基づいて上記対象者（H）のストレスの判定を行うストレス判定部（38）を備えていることを特徴とする。
【００２１】
第５の発明では、生体情報検出部（32）が、対象者（H）の心拍ゆらぎを導出する。ストレス判定部（38）は、この心拍ゆらぎに基づき対象者（H）のストレスを判定する。心拍ゆらぎは、対象者（H）の交感神経や副交感神経の活性度を示す指標となり、これらの指標は、対象者（H）のストレス度を示す指標となる。従って、心拍ゆらぎを用いることで対象者（H）のストレスを判定できる。
【００２２】
本発明では、上述したように、対象者（H）が感圧部本体（22）の存在を気づくことがなく、違和感を覚えたり、緊張したりすることを防止できる。このため、対象者（H）が感圧部本体（22）の存在を認識してしまうことに起因して、心拍ゆらぎの検出精度が低下してしまうことを防止でき、ストレス判定の精度を向上できる。
【００２３】
第６の発明は、第１乃至第４のいずれか１つの発明の生体情報取得装置（45）を備えた人情報判定装置であって、上記生体情報取得装置（45）の上記生体情報検出部（32）は、上記受圧部（31）から出力された信号に基づき心拍ゆらぎを導出するように構成され、上記心拍ゆらぎに基づいて上記対象者（H）の嘘の有無を判定する嘘判定部（41）を備えていることを特徴とする。
【００２４】
第６の発明では、生体情報検出部（32）が、対象者（H）の心拍ゆらぎを導出する。嘘判定部（41）は、この心拍ゆらぎに基づき対象者（H）の嘘の有無を判定する。心拍ゆらぎは、対象者（H）の交感神経や副交感神経の活性度を示す指標となり、これらの指標は、対象者（H）の緊張度を示す指標となる。従って、心拍ゆらぎを用いることで対象者（H）の嘘の有無を判定できる。
【００２５】
本発明では、上述したように、対象者（H）が感圧部本体（22）の存在に気づくことがなく、感圧部本体（22）の存在を認識してしまうことに起因して対象者（H）が緊張してしまうことを防止できる。この結果、心拍ゆらぎの検出精度が低下してしまうことを防止でき、嘘の有無の判定の精度を向上できる。
【００２６】
第７の発明は、第１乃至第４のいずれか１つの発明の生体情報取得装置（45）を備えた人情報判定装置を対象とし、上記生体情報取得装置（45）の上記生体情報検出部（32）は、上記受圧部（31）から出力された信号に基づき、対象者（H）の心拍ゆらぎ及び粗体動を導出するように構成され、上記心拍ゆらぎ及び粗体動に基づいて上記対象者（H）が不審者であるか否かを判定する不審者判定部（39）を備えていることを特徴とする。
【００２７】
第７の発明では、生体情報検出部（32）が、対象者（H）の心拍ゆらぎ及び粗体動を導出する。不審者判定部（39）は、心拍ゆらぎ及び粗体動に基づいて対象者（H）が不審者であるか否かを判定する。つまり、対象者（H）が不審者である場合、対象者（H）の緊張度が大きくなり、且つ不審な動きも多くなる。従って、緊張度を示す指標となる心拍ゆらぎと、不審な動きを示す指標となる粗体動とを用いることで、対象者（H）が不審者であるか否かを判定できる。
【００２８】
本発明では、上述したように、対象者（H）が感圧部本体（22）の存在に気づくことがなく、感圧部本体（22）の存在を認識してしまうことに起因して対象者が緊張したり、対象者（H）の体の動きが多くなったりすることを防止できる。この結果、心拍ゆらぎや粗体動の検出精度が低下してしまうことを防止でき、粗体動の判定精度が低下してしまうことを防止できる。
【００２９】
第８の発明は、第１乃至第４のいずれか１つの発明の生体情報取得装置（45）を備えた人情報判定装置であって、上記生体情報取得装置（45）の上記生体情報検出部（32）は、上記対象者（H）の少なくとも心拍信号を検出するように構成され、少なくとも上記心拍信号に基づいて、上記対象者（H）が座部（60）に存在しているか否かを判定する在・不在判定部（40）を備えていることを特徴とする。
【００３０】
第８の発明では、生体情報検出部（32）が、対象者（H）の少なくとも心拍信号を抽出する。対象者（H）が座部（60）に座った状態では、心拍信号が大きくなり、対象者（H）が座部（60）から離れると心拍信号が抽出されなくなる。従って、このような心拍信号を用いることで、対象者（H）が座部（60）に存在しているか否かを判定できる。
【発明の効果】
【００３１】
本発明によれば、感圧チューブ（20）の感圧部本体（22）の全体が対象者（H）から目視されることがなく、且つ対象者（H）に感圧部本体（22）が直接触れることもない。また、感圧部本体（22）は、細長いチューブ状に形成されるため、対象者（H）が感圧部本体（22）の存在を感じることも防止できる。この結果、対象者（H）が感圧部本体（22）の存在に気づくことを防止でき、感圧部本体（22）を認識することに起因して対象者（H）の生体信号に誤差が生じることも抑制できる。従って、生体情報検出部（32）による対象者（H）の生体情報の検出精度を向上できる。また、感圧部本体（22）は、細長のチューブ状であるため、座部（60）の内部に感圧部本体（22）を設ける加工も容易である。
【００３２】
第２の発明によれば、感圧部本体（22）が対象者（H）の左右方向に延びるように配設されるため、対象者（H）の位置が左右にずれたとしても、対象者（H）の体動を感圧部本体（22）に確実に作用させることができる。
【００３３】
第３の発明によれば、感圧チューブ（20）の一端に開口（21a）を形成することで、空気漏れに起因して生体情報の検出精度が低下してしまうことを確実に防止できる。
【００３４】
第４の発明によれば、感圧チューブ（20）の中継部（23）を座部（60）の裏側に配置することで、対象者（H）に座部（60）が視認されることを防止できる。この結果、対象者（H）が感圧チューブ（20）の存在を認識することに起因して、生体情報の検出精度が低下してしまうことを一層確実に防止できる。
【００３５】
第５の発明によれば、対象者（H）が感圧部本体（22）に気づくことに起因して、対象者（H）のストレスの判定精度が低下してしまうことを防止できる。
【００３６】
第６の発明によれば、対象者（H）が感圧部本体（22）に気づくことに起因して、対象者（H）の嘘の有無の判定精度が低下してしまうことを防止できる。
【００３７】
第７の発明によれば、対象者（H）が感圧部本体（22）に気づくことに起因して、対象者（H）が不審者であるか否かの判定精度が低下してしまうことを防止できる。
【００３８】
第８の発明によれば、対象者（H）が感圧部本体（22）に気づくことに起因して、対象者（H）が座部（60）に着座しているか否かの判定精度が低下してしまうことを防止できる。
【図面の簡単な説明】
【００３９】
【図１】図１は、実施形態１に係る生体情報取得装置の配置例を示す平面図である。
【図２】図２は、実施形態１に係る感圧部本体の配置状態を示す概略の斜視図である。
【図３】図３は、実施形態１に係る座席の一部を破断して座部、及びその周辺構造を示す一部破断縦断面図である。
【図４】図４は、実施形態１に係る人情報判定システムのブロック図である。
【図５】図５は、図１のV-V線断面図である。
【図６】図６は、図５のVI矢視図である。
【図７】図７は、図５のVII-VII線断面図であり、対象者が座部に着座していない状態を示すものである。
【図８】図８は、図５のVII-VII線断面図であり、対象者が座部に着座した状態を示すものである。
【図９】図９は、実施形態１の人体情報判定システムの動作を示すフローチャートである。
【図１０】図１０は、実施形態２に係る人情報判定システムのブロック図である。
【図１１】図１１は、実施形態２に係る人情報判定システムの動作を示すフローチャートである。
【図１２】図１２は、実施形態３に係る人情報判定システムのブロック図である。
【図１３】図１３は、実施形態３に係る人情報判定システムの動作を示すフローチャートである。
【図１４】図１４は、実施形態４に係る人情報判定システムのブロック図である。
【図１５】図１５は、実施形態４に係る人情報判定システムの動作を示すフローチャートである。
【発明を実施するための形態】
【００４０】
以下、本発明の実施形態を図面に基づいて詳細に説明する。なお、以下の実施形態は、本質的に好ましい例示であって、本発明、その適用物、あるいはその用途の範囲を制限することを意図するものではない。
【００４１】
《発明の実施形態１》
本発明の実施形態１は、民間用の飛行機に適用される人情報判定システム（S）である。図１に示すように、人情報判定システム（S）は、飛行機の多数の座席（C）に対応して１つずつ設けられる多数の人情報判定装置（10）を備えている。実施形態１に係る人情報判定システム（S）は、各対象者（H）のストレス度、各対象者（H）が不審者であるか否か、各対象者（H）が座席に着いているか否かを判定する。
【００４２】
〈人情報判定装置〉
図２〜図４に示すように、各人情報判定装置（10）は、１つの感圧チューブ（20）と、１つの判定ユニット（30）と、１つの通信部（50）とをそれぞれ備えている。
【００４３】
〔感圧チューブ〕
感圧チューブ（20）は、中空のチューブ状に構成されている。感圧チューブ（20）は、内径が約４ｍｍの樹脂製（例えば塩化ビニル製）である。感圧チューブ（20）の長手方向の一端（基端）には、判定ユニット（30）のマイクロフォン（31）が接続される。感圧チューブ（20）の詳細な構造は後述する。
【００４４】
〔判定ユニット〕
図４に示すように、判定ユニット（30）は、マイクロフォン（31）と、生体情報検出部（32）と、判定部（33）と、記憶部（34）とを有している。
【００４５】
[マイクロフォン]
マイクロフォン（31）は、感圧チューブ（20）の内圧が作用する受圧部を構成している。つまり、対象者（H）の体動が感圧チューブ（20）に受圧されると、感圧チューブ（20）の内圧が変化する。マイクロフォン（31）は、この内圧変化に応じた信号を出力する。
【００４６】
[生体信号検出部]
生体情報検出部（32）は、マイクロフォン（31）から出力された信号に基づいて対象者（H）の生体情報を検出する。具体的に、実施形態の生体情報検出部（32）は、体動信号抽出部（35）と、心拍信号抽出部（36）と、心拍ゆらぎ抽出部（37）とを備えている。
【００４７】
体動信号抽出部（35）は、マイクロフォン（31）から出力された信号に基づき、対象者（H）の体動信号（体全体の大きな動きに由来する粗体動と、心拍・呼吸等に由来する微動とを含む信号）を抽出する。心拍信号抽出部（36）は、上記体動信号から心拍に由来する信号（心拍信号）を抽出する。心拍ゆらぎ抽出部（37）は、心拍信号から求めた心拍間隔（搏動間隔）の変化（これを心拍ゆらぎという）を抽出する。
【００４８】
図４に示すように、上述した感圧チューブ（20）と、マイクロフォン（31）と、生体情報検出部（32）とは、対象者（H）の生体情報を取得するための生体情報取得装置（45）を構成している。
【００４９】
[判定部]
図４に示すように、判定部（33）は、生体情報検出部（32）で検出された生体信号に基づき、対象者（H）の状態を判定する。具体的に、実施形態の判定部（33）は、ストレス判定部（38）と不審者判定部（39）と在・不在判定部（40）とを備えている。
【００５０】
ストレス判定部（38）は、心拍ゆらぎ抽出部（37）で求めた心拍ゆらぎに基づいて、対象者（H）のストレス度の判定を行う。具体的に、ストレス判定部（38）は、心拍ゆらぎの周波数分析を行うために、搏動間隔データを直線補間して等時間間隔データに変換する。その後、この等時間間隔の搏動間隔データについて高速フーリエ変換（ＦＦＴ、Fast Fourier Transform）を行って、搏動間隔のゆらぎの低周波数成分ＬＦ（例えば０．０４〜０．１５Ｈｚ）と、高周波成分ＨＦ（例えば０．１５Ｈｚ以上）と、これらの比（ＬＦ／ＨＦ）を得る。
【００５１】
ＬＦ／ＨＦやＬＦは、対象者（H）の交感神経の活性度を示す指標となり、ＨＦは、対象者（H）の副交感神経の活性度を示す指標となる。また、交感神経と活性度と副交感神経の活性度とは、概ねトレードオフの関係となる。従って、これらの指標を用いることで、対象者（H）のストレス度を求めることができる。本実施形態のストレス判定部（38）は、このような指標に基づき、対象者（H）が過度のストレス状態にあるか否かを判定する。（詳細は後述する）。
【００５２】
不審者判定部（39）は、心拍ゆらぎ抽出部（37）で求めた心拍ゆらぎと、体動信号抽出部（35）で求めた体動信号に基づいて、対象者（H）が不審者であるか否かを判定する。具体的に、不審者判定部（39）は、上述したストレス判定部（38）と同様にして、対象者（H）の心拍ゆらぎの低周波成分（ＬＦ）、該心拍ゆらぎの高周波成分（ＨＦ）、及びこれらの比（ＬＦ／ＨＦ）を得る。これらの指標（ＬＦ／ＨＦ、ＨＦ、ＬＦ）は、対象者（H）のストレス度を示す指標となり、ひいては対象者（H）の緊張度を示す指標となる。また、不審者判定部（39）は、所定期間において対象者（H）の粗体動の大きさ（即ち、体動信号の強度）が所定値を上回った頻度ｆを計測する。不審者判定部（39）は、上記緊張度を示す指標と、この頻度ｆとに基づいて、対象者（H）が不審者であるか否かを判定する（詳細は後述する）。
【００５３】
在・不在判定部（40）は、心拍信号に基づいて対象者（H）が座席（C）に座っているか否かを判定する。具体的に、在・不在判定部（40）は、体動信号抽出部（35）で抽出した体動信号、及び心拍信号抽出部（36）で抽出した心拍信号の強度（レベル）に基づいて、対象者（H）が座部（60）に着座しているか否かを判定する（詳細は後述する）。
【００５４】
[記憶部]
記憶部（34）は、生体情報検出部（32）で検出された各生体信号や、判定部（33）で判定された各判定結果を時系列データとして記憶可能に構成されている。また、記憶部（34）に記憶されたデータは、判定部（33）や通信部（50）に出力可能に構成されている。
【００５５】
[通信部]
通信部（50）は、判定部（33）で判定された結果を示す信号を端末部（52）へ送信する。図３に示すように、通信部（50）は、ケーブル（例えばＵＳＢケーブル（51））を介して判定ユニット（30）に接続されている。通信部（50）は、判定部（33）から出力された信号を無線（有線であってもよい）により端末部（52）へ送信するように構成される。
【００５６】
〈端末部〉
図４に示すように、人情報判定システム（S）は、少なくとも１つの端末部（52）を備えている。端末部（52）は、例えばキャビンアテンダントの控え室や、パイロットの操縦室等に設けられる。端末部（52）には、例えば液晶モニター等の表示部（53）が設けられている。表示部（53）には、判定ユニット（30）で判定された各判定結果（各対象者（H）のストレス度、不審者の有無、飛行機の利用客が所定の座席（C）に座っているか否か等）が表示される。
【００５７】
〈感圧チューブ及びその周辺の詳細構造〉
感圧チューブ（20）及びその周辺構造について、図２、図３、図５〜図７を参照しながら詳細に説明する。図５に示すように、感圧チューブ（20）は、長手方向の一端（先端）から他端（基端）に向かって順に、開口連絡部（21）、感圧本体部（22）、及び中継部（23）が連続して構成されている。
【００５８】
開口連絡部（21）は、その先端が座席（C）の座部（60）の下側の空間（U）に位置している。開口連絡部（21）の先端には、空間（U）と連通する開口（21a）が形成されている。つまり、感圧チューブ（20）は、その長手方向の両端のうちマイクロフォン（31）と接続される端部が空間（61）に開口している。
【００５９】
図３及び図５に示すように、中継部（23）は、感圧本体部（22）とマイクロフォン（31）の間に接続されている。中継部（23）は、感圧本体部（22）から座部（60）の内部を下方に延び、判定ユニット（30）と接続される。
【００６０】
図５及び図７に示すように、座部（60）は、複数の層（部材）が積層されて構成されている。具体的に、座部（60）は、表側から裏側に向かって順に、外装材（60a）(例えばポリウレタン製皮革)、樹脂綿（61）（第１層）、ＰＶＣレザー（62）（塩化ビニルレザー、第２層）、ウレタン（63）（第３層）、チップウレタン（64）（第４層）が順に積層されている。なお、外装材（60a）として、天然皮革、ファブリック等の他の材料を用いてもよい。
【００６１】
樹脂綿（61）の厚みｄ１、ＰＶＣレザー（62）の厚みｄ２、ウレタン（63）の厚みｄ３、チップウレタン（64）の厚みｄ４とすると、座部（60）では、ｄ２＜ｄ１＜ｄ３＜ｄ４の関係が満たされる。
【００６２】
また、樹脂綿（61）の剛性Ｓ１、ＰＶＣレザー（62）の剛性Ｓ２、ウレタン（63）の剛性Ｓ３、チップウレタン（64）の剛性Ｓ４、感圧チューブの剛性Ｓ５とすると、座部（60）では、Ｓ１＜Ｓ３＜Ｓ２≒Ｓ５＜Ｓ４の関係が満たされる。
【００６３】
図５及び図６に示すように、感圧部本体（22）は、ＰＶＣレザー（62）と樹脂綿（61）の間に挟まれて保持される。ＰＶＣレザー（62）は、感圧部本体（22）を下側から覆うような幅及び長さを有している。
【００６４】
ウレタン（63）の幅方向の両端部には、上側切り込み部（63a）がそれぞれ形成されている。上側切れ込み部（63a）は、ウレタン（63）の左右側方からＰＶＣレザー（62）の両側端部に至るまで幅方向に延びている。チップウレタン（64）の両端部には、下側切り込み部（64a）がそれぞれ形成されている。下側切れ込み部（64a）は、チップウレタン（64）の左右側方からＰＶＣレザー（62）の両側端部に対応する部位まで幅方向に延びている。つまり、下側切り込み部（64a）は、上側切れ込み部（63a）と上下に対応する位置にある。上側切り込み部（63a）は、図５のドットを付した領域Ｒ１の部分に形成され、下側仕切込み部（64a）は、図５のドットを付した領域Ｒ２の部分に形成される。
【００６５】
感圧チューブ（20）の開口連絡部（21）のほとんどの部分は、座部（60）の幅方向の一方（図５の右側）の各切れ込み部（63a,64a）の間に挟まれて保持される。感圧チューブ（20）の中継部（23）の一部は、座部（60）の幅方向の他方（図５の左側）の各切れ込み部（63a,64a）の間に挟まれて保持される。これにより、感圧チューブ（20）が座部（60）に確実に固定され、座部（60）における感圧部本体（22）の位置ずれを防止できる。
【００６６】
感圧部本体（22）は、開口連絡部（21）と中継部（23）の間に形成されている。感圧部本体（22）は、その全体が座部（60）の座面（外装材（60a）の外表面）に覆われるように座部（60）の内部に埋設される。つまり、感圧部本体（22）は、対象者（H）が視認できない位置にある。感圧部本体（22）は、座部（60）の前後方向の中間部よりもやや後方に位置している。つまり、感圧部本体（22）は、対象者（H）の臀部ないし太股部に対応する位置にある。感圧部本体（22）は、対象者（H）に対し左右方向に延びている。つまり、感圧部本体（22）は、座部（60）の後縁に沿う方向に延びている。
【００６７】
開口連絡部（21）のうち座部（60）の外部に位置する部分、及び中継部（23）のうち座部（60）の外部に位置する部分は、座部（60）の裏側に位置している。このため、感圧チューブ（20）は、その全体が座部（60）の上側から視認できない位置にある。従って、対象者（H）が感圧チューブ（20）の存在に気づくことはない。判定ユニット（30）及び通信部（50）も座部（60）の裏側に位置し、座部（60）の上側から視認できない位置にある。従って、対象者（H）が判定ユニット（30）及び通信部（50）の存在に気づくこともない。即ち、実施形態の人情報判定装置（10）は、生体情報の検出の対象である対象者（H）が、その存在を認識できないように構成されている。
【００６８】
−動作−
実施形態１に係る人情報判定システム（S）の動作について図４及び図９を参照しながら説明する。人情報判定システム（S）では、多数の人情報判定装置（10）について、以下述べる動作がそれぞれ個別に行われる。本例の人情報判定システム（S）では、飛行機の全ての座席（C）のうち乗客が予約した座席（C）が、判定の対象となる座席（対象座席）として設定部（図示省略）に設定される。本例の人情報判定システム（S）では、全ての人情報判定装置（10）のうち上記対象座席に対応する人情報判定装置（10）だけが動作する。
【００６９】
ステップＳｔ１では、感圧チューブ（20）の内圧変化がマイクロフォン（31）に受圧され、この内圧変化に応じた信号がマイクロフォン（31）から出力される。マイクロフォン（31）から出力された信号は、所定の前処理がなされた後、生体情報検出部（32）に入力される。なお、感圧チューブ（20）の一端には開口（21a）が形成され、感圧チューブ（20）の内部は封止されていない。しかし、対象者（H）の体動が感圧チューブ（20）に作用すると、感圧チューブ（20）内の動圧が変化する。従って、マイクロフォン（31）では、この動圧（内圧変化）に応じた信号を出力することができる。
【００７０】
ステップＳｔ２では、体動信号抽出部（35）が、対象者（H）の体動信号（粗体動及び微動を含む信号）を抽出する。次いで、心拍信号抽出部（36）は、体動信号抽出部（35）で抽出した体動信号から対象者（H）の心拍信号（心拍に由来する信号）を抽出する。
【００７１】
ステップＳｔ３では、心拍ゆらぎ抽出部（37）が、心拍信号の心拍間隔（搏動間隔）を計測する。この心拍間隔は、対象者（H）の心拍数の逆数ともいえる。次いで、心拍ゆらぎ抽出部（37）は、この心拍間隔の変化を心拍ゆらぎとして抽出する。この心拍ゆらぎは、対象者（H）のストレス度や緊張度を示す指標となる。
【００７２】
ステップＳｔ４では、在・不在判定部（40）が、対象者（H）が座席（C）の座部（60）に存在しているか否かを判定する。この在・不在判定は、例えば以下の条件を用いて行われる。
【００７３】
条件Ａ−１）心拍信号抽出部（36）で抽出した心拍信号が所定レベル以上になる状態が所定時間以上継続する。条件Ａ−２）体動信号抽出部（35）で抽出した体動信号が所定レベル以上になる状態が所定時間以上継続する。例えば条件Ａ−１）のみが成立すると、対象者（H）が座部（60）に存在すると判定され、そうでない場合には、対象者（H）が座部（60）に存在しないと判定される。また、例えば条件Ａ−１）及びＡ−２）が成立すると、対象者（H）が座部（60）に存在すると判定され、そうでない場合には、対象者（H）が座部（60）に存在しないと判定してもよい。
【００７４】
ステップＳｔ５において在・不在判定部（40）が対象者（H）の不在を判定すると、そのことを示す信号が通信部（50）を介して端末部（52）に送られる。端末部（52）には、対象者（H）が存在すべき対象座席に対象者（H）が存在していないことが、表示部（53）に表示される（ステップＳｔ６）。これにより、例えばキャビンアテンダントやパイロット等は、対象座席に人が座っていないことを速やかに把握することができる。
【００７５】
なお、本例では、対象座席に対応する人情報判定装置（10）のみを動作させ、対象者（H）の在・不在を判定するようにしている。しかし、例えば全ての人情報判定装置（10）を動作させ、各在・不在判定部（40）で判定を行った後、各判定結果と、予約された座席を示すデータとを比較し、対象座席の対象者（H）が不在であること特定・表示するようにしてもよい。
【００７６】
ステップＳｔ５において、対象者（H）が座部（60）に存在すると判定されると、ステップＳｔ７へ移行する。ステップＳｔ７では、ストレス判定部（38）が、対象者（H）のストレス度の判定を行う。ストレス判定部（38）が、対象者（H）のストレス度が大きいと判定する必要条件としては、例えば以下の条件が挙げられる。
【００７７】
条件Ｂ−１）ストレス判定部（38）で求めたＬＦ／ＨＦの所定期間における増大変化率が所定値以上となる。条件Ｂ−２）ストレス判定部（38）で求めたＬＦの所定期間における増大変化率が所定値以上となる。条件Ｂ−３）ストレス判定部（38）で求めたＨＦの所定期間における減少変化率が所定値以上となる。条件Ｂ−４）ストレス判定部（38）で求めたＬＦ／ＨＦの絶対値が所定値以上になる。条件Ｂ−５）ストレス判定部（38）で求めたＬＦの絶対値が所定値以上になる。条件Ｂ−６）ストレス判定部（38）で求めたＨＦの絶対値が所定値以下になる。
【００７８】
以上の条件Ｂ−１）〜Ｂ−６）のうちのいずれか１つ、又はこれらの条件Ｂ−１）〜Ｂ−６）の如何なる組み合わせ（アンド条件）が成立すると、ストレス判定部（38）は、対象者（H）のストレス度が大きいと判断する。この結果、そのことを示す信号が通信部（50）を介して端末部（52）に送られる。端末部（52）には、ある座席（C）に対応する対象者（H）のストレス度が大きいことが、表示部（53）に表示される（ステップＳｔ８）。これにより、例えばキャビンアテンダントやパイロット等は、ストレス度が大きい人が座る座席（C）を把握することができる。従って、例えばこの座席（C）の対象者（H）を優先的に配慮したり、この対象者（H）に細心の注意を払ったサービスを提供したりする対応ができる。
【００７９】
ステップＳｔ７において、対象者（H）のストレス度が小さいと判定される（即ち、対象者（H）のストレス度が大きいという必要条件が成立しない）と、表示部（53）にストレスに関する警告が表示されることなく、ステップＳｔ９へ移行する。
【００８０】
ステップＳｔ９では、不審者判定部（39）が、対象者（H）が不審者であるか否かの判定を行う。不審者判定部（39）は、対象者（H）の緊張度（ストレス度に相当）が高く、且つ対象者（H）の粗体動の大きさ（即ち、体動信号の強度）が所定値を越える頻度ｆが所定値を越えると、対象者（H）が不審者であると判定する。不審者は、緊張度が高くなり且つ不審な粗体動を繰り返す傾向にあるからである。具体的に、対象者（H）が不審者であると判定する必要条件は、条件Ｂ）及び条件Ｃ）の双方が成立することである。
【００８１】
ここで、条件Ｂ）は、上述した条件Ｂ−１）〜Ｂ−６）のうちのいずれか１つ、又はこれらの条件Ｂ−１）〜Ｂ−６）の如何なる組み合わせ（アンド条件）である。条件Ｃ）としては、条件Ｃ−１）又は条件Ｃ−２）が挙げられる。条件Ｃ−１）は、上述したように、所定期間において、対象者（H）の体動信号の強度が所定値を越える頻度ｆが所定値を越えることである。条件Ｃ−２）は、対象者の体動信号の強度が所定値を越える継続時間Ｔが所定値を越えることである。つまり、対象者（H）の緊張度が高く、且つ対象者（H）の粗体動が連続的に大きな状態が検出されると、対象者（H）が不審者であると判定するようにしてもよい。
【００８２】
不審者判定部（39）が、ある対象者（H）が不審者であることを判定すると、そのことを示す信号が通信部（50）を介して端末部（52）に送られる。端末部（52）の表示部（53）には、ある座席（C）に対応する対象者（H）が不審者である可能性があることが表示される（ステップＳｔ１０）。これにより、例えばキャビンアテンダントやパイロット等は、不審者の可能性がある人が座る座席（C）を把握することができる。従って、例えばこの座席（C）の対象者（H）に細心の注意を払ったり、この対象者（H）が本当に不審者であるかを確認したりする対応ができる。
【００８３】
−人情報判定装置の作用−
ところで、上述した判定動作において、対象者（H）が人情報判定装置（10）の存在に気づくと、対象者（H）が違和感を覚えたり、緊張度が高まったりする。特に、座部（60）の表面に感圧チューブ（20）が露出される状態になると、このような傾向が顕著になる。そうすると、人情報判定装置（10）で検出される対象者（H）の生体情報に誤差が生じ、上述した各判定（在・不在判定、ストレス判定、不審者判定）の結果が誤ってしまう可能性が高くなる。そこで、本実施形態の人情報判定装置（10）は、その存在を対象者（H）が気づかないように配設されている。
【００８４】
具体的には、例えば図５に示すように、感圧チューブ（20）の感圧部本体（22）は、座部（60）の座面に完全に覆われており、その全体が座部（60）の内部に設けられている。このため、対象者（H）が感圧部本体（22）を視認することを確実に防止できる。また、感圧チューブ（20）の上側には、樹脂綿（61）及び外装材（60）が重ねられるため、座部（60）に座る対象者（H）の臀部や太股部に感圧部本体（22）が接触しない。更に、感圧部本体（22）は、中空のチューブ状に構成されるため、例えば空気袋のような感圧部と比較して、座部（60）の座面に対する上面部の面積の割合を小さくできる。従って、対象者（H）が、感圧部本体（22）の存在を感じて違和感を覚えることを防止できる。
【００８５】
また、人情報判定装置（10）では、開口連絡部（21）、中継部（23）、判定ユニット（30）、及び通信部（50）が全て座部（60）の裏側に配置されるため、対象者（H）が座部（60）の上側からこれらの部品を視認してしまうこともない。
【００８６】
以上のように、人情報判定装置（10）は、その存在を対象者（H）が気づきにくい構成となっているため、通常状態の対象者（H）の生体情報を検出でき、体動・心拍等の信号の検出精度の低下を防止できる。
【００８７】
感圧チューブ（20）は、一端に開口（21a）を有する中空のチューブ状に構成される。このため、例えば空気袋のように内部の空気を封止するための弁が設ける必要もない。即ち、感圧チューブ（20）は、空気を封入する構成となっておらず、マイクロフォン（31）は、単に感圧チューブ（20）の内圧変化を信号として出力するものである。従って、空気袋のように弁周囲からの空気漏れの影響により、空気袋内の内圧が徐々に低くなってしまうこともなく、このような内圧の減少に起因して生体情報の検出精度が低下してしまうこともない。
【００８８】
感圧部本体（22）は、座部（60）の後縁に沿う方向に延びている。このため、対象者（H）の位置が左右にずれたとしても、対象者（H）の体動を感圧部本体（22）に確実に作用させることができる。
【００８９】
感圧部本体（22）は、ＰＶＣレザー（62）の上面に設置される。ＰＶＣレザー（62）は、その下側のウレタン（63）と比較して剛性が高い。このため、図７、図８に示すように、座部（60）に対象者（H）の体動（図８の白抜き矢印）が作用した際、感圧部本体（22）がウレタン（63）とともに大きく凹んでしまうことを防止できる。つまり、ＰＶＣレザー（62）により感圧部本体（22）が下方へ変位してしまうことを防止できるので、感圧部本体（22）の内圧変化が顕著となり、生体情報の検出精度を向上できる。
【００９０】
感圧チューブ（20）は、比較的剛性の高いチップウレタン（64）の下側切り込み部（64a,64a）の間に挟まれて保持される。これにより、感圧チューブ（20）の位置ずれを防止でき、ひいては座部（60）における感圧部本体（22）の位置ずれを防止できる。この結果、感圧部本体（22）の位置ずれに起因して生体情報の検知精度が低下してしまうのを防止できる。
【００９１】
−実施形態１の効果−
実施形態１によれば、感圧チューブ（20）の感圧部本体（22）の全体が対象者（H）から目視されることがなく、且つ対象者（H）に感圧部本体（22）が直接触れることもない。また、感圧部本体（22）は、細長いチューブ状に形成されるため、対象者（H）が感圧部本体（22）の存在を感じることも防止できる。この結果、対象者（H）が感圧部本体（22）の存在に気づくことを防止でき、感圧部本体（22）を認識することに起因して対象者（H）の生体信号に誤差が生じることも抑制できる。
【００９２】
具体的には、対象者（H）が感圧部本体（22）の存在に気づくことで、対象者（H）の体動信号、心拍信号、心拍ゆらぎを正常に検出できなくなることを防止できる。この結果、ストレス判定部（38）による対象者（H）のストレス判定精度、不審者判定部（39）による対象者（H）の不審者の判定精度、及び在・不在判定部（40）による対象者（H）の在・不在の判定精度を向上できる。
【００９３】
また、感圧部本体（22）は、細長のチューブ状であり、樹脂綿（61）とウレタン（63）との間に配置することで座部（60）の内部に埋設される。従って、座部（60）の内部に感圧部本体（22）を埋設する加工も比較的容易である。
【００９４】
図１に示すように、感圧部本体（22）は対象者（H）の左右方向に延びるように配設されるため、対象者（H）の位置が左右にずれたとしても、対象者（H）の体動を感圧部本体（22）に確実に作用させることができる。この結果、ストレス判定部（38）、不審者判定部（39）、及び在・不在判定部（40）の判定精度を向上できる。
【００９５】
感圧チューブ（20）の一端（先端）には開口（21a）が形成されており、感圧チューブ（20）に空気を封止する構造となっていない。このため、感圧チューブ（20）内の空気漏れに起因して各信号の検出精度が低下してしまうこともない。
【００９６】
図５に示すように、感圧チューブ（20）の中継部（23）及び開口連絡部（21）、判定ユニット（30）及び通信部（50）も座部（60）の裏側に配置されるので、対象者（H）が人情報判定装置（10）の存在に気づいてしまうことをより確実に防止できる。
【００９７】
柔軟性を有する樹脂綿（61）とある程度の剛性を有するＰＶＣレザー（62）の間に感圧部本体（22）を挟むようにしたので、対象者（H）の快適性を確保しつつ、感圧チューブ（20）による体動の検知精度を向上できる。
【００９８】
図６に示すように、座部（60）では、感圧チューブ（20）をチップウレタン（64）の切り込み部（64a）の間に強固に保持でき、感圧チューブ（20）の位置ずれを回避できる。この結果、ストレス判定部（38）、不審者判定部（39）、及び在・不在判定部（40）の判定精度を更に向上できる。
【００９９】
−実施形態１の変形例−
上記実施形態１の人情報判定システム（S）では、判定部（33）にストレス判定部（38）と不審者判定部（39）と在・不在判定部（40）とを設けている。しかしながら、判定部（33）では、これらの３つの判定部（38,39,40）のうちいずれか２つ、又はいずれか１つだけを設けてもよい。つまり、人情報判定システム（S）において、ストレス判定と不審者判定と在・不在判定のうちいずれか２つ又はいずれか１つのみの判定を行うようにしてもよい。
【０１００】
《発明の実施形態２》
図１０に示す実施形態２に係る人情報判定システム（S）は、歯科医院、理容店、美容店等の各椅子に適用されるものである。つまり、人情報判定システム（S）では、これらの椅子の各座部（60）に対応して１つずつ人情報判定装置（10）が設けられる。実施形態２の人情報判定装置（10）では、実施形態１の判定部（33）の不審者判定部（39）と在・不在判定部（40）とが省略された構成となっている。実施形態２に係る人情報判定システム（S）のそれ以外の基本的な構成は、実施形態１と同じである。
【０１０１】
図１１に示すように、実施形態２に係る人情報判定システム（S）では、感圧チューブ（20）の内圧変化に応じてマイクロフォン（31）から出力された信号が収集され（ステップＳｔ１１）、この信号から体動信号、及び心拍信号が抽出される（ステップＳｔ１２）。次いで、対象者（H）の心拍間隔が抽出され（ステップＳｔ１３）、更に対象者（H）の心拍ゆらぎが抽出される（ステップＳｔ１４）。
【０１０２】
ステップＳｔ１５では、対象者（H）のストレス判定が行われる。ストレス判定部（38）によるストレスの判定方法は、実施形態１と同様である。対象者（H）のストレス度が大きいことが判定されると、端末部（52）の表示部（53）にその旨が表示される（ステップＳｔ１６）。
【０１０３】
これにより、例えば歯科医院であれば、歯科医が、対象者（H）のストレス度を考慮した治療を行うことができる。具体的には、例えば対象者（H）が痛みに伴いストレス度が増大したと判断した場合、対象者（H）に麻酔治療を施すことができる。また、例えば理容店や美容店では、理容師や美容師が、対象者（H）のストレス度を軽減するために、マッサージを施すことができる。
【０１０４】
実施形態２においても、実施形態１と同様、対象者（H）が人情報判定装置（10）の存在を気づかないため、対象者（H）のストレス度に誤差が生じることを防止できる。この結果、対象者（H）のストレスを正確に検出し、対象者（S）のストレスに応じた対応をとることができる。それ以外の作用効果は、上記実施形態１と同様である。
【０１０５】
《発明の実施形態３》
図１２に示す実施形態３に係る人情報判定システム（S）は、バスに適用されるものであり、自動点呼システムを構成している。人情報判定システム（S）では、バスの各座席の各座部（60）に対応して１つずつ人情報判定装置（10）が設けられる。実施形態２の人情報判定装置（10）では、実施形態１の生体情報検出部（32）ｓの心拍ゆらぎ抽出部（37）が省略される。実施形態２の人情報判定装置（10）では、判定部（33）のストレス判定部（38）と不審者判定部（39）とが省略される。実施形態３に係る人情報判定システム（S）のそれ以外の基本的な構成は、実施形態１と同様である。
【０１０６】
図１３に示すように、実施形態３に係る人情報判定システム（S）では、感圧チューブ（20）の内圧変化に応じてマイクロフォン（31）から出力された信号が収集され（ステップＳｔ２１）、この信号から体動信号、及び心拍信号が抽出される（ステップＳｔ２２）。
【０１０７】
ステップＳｔ２３では、各座部（60）に対応する対象者（H）の在・不在判定が行われる。在・不在判定部（40）による在・不在の判定方法は、実施形態１と同様である。また、実施形態３の人情報判定装置（10）においても、実施形態１と同様、予め対象者（H）が着座すべき座席（対象座席）が設定されている。従って、不在と判定された座席と、この対象座席とを照合することで、対象者（H）が座るべき座部（60）に該対象者（H）が着席していないことを端末部（52）の表示部（53）を介して速やかに把握できる。これにより、実施形態３に係る人情報システムでは、バスの乗客の点呼を自動的且つ速やかに行うことができる。
【０１０８】
実施形態３においても、実施形態１と同様、対象者（H）が人情報判定装置（10）の存在を気づかないため、対象者（H）の在・不在の判定精度を向上できる。それ以外の作用効果は、上記実施形態１と同様である。
【０１０９】
《発明の実施形態４》
図１４に示す実施形態４に係る人情報判定システム（S）は、警察や軍事用の取り調べ室の座席に適用され、嘘発見装置を構成している。人情報判定システム（S）は、１つの座席の座部（60）に対応する１つの人情報判定装置（10）を備えている。実施形態４の人情報判定装置（10）では、実施形態１の判定部（33）のストレス判定部（38）と不審者判定部（39）と在・不在判定部（40）とが省略されている。一方、実施形態４の判定部（33）には、嘘判定部（41）が設けられている。嘘判定部（41）は、取調員の質問に対する対象者（H）の回答が嘘であるか否かを判定するように構成されている。実施形態４に係る人情報判定システム（S）のそれ以外の基本的な構成は、実施形態１と同じである。
【０１１０】
図１５に示すように、実施形態４に係る人情報判定システム（S）では、感圧チューブ（20）の内圧変化に応じてマイクロフォン（31）から出力された信号が収集され（ステップＳｔ３１）、この信号から体動信号、及び心拍信号が抽出される（ステップＳｔ３２）。次いで、対象者（H）の心拍間隔が抽出され（ステップＳｔ３３）、更に対象者（H）の心拍ゆらぎが抽出される（ステップＳｔ３４）。
【０１１１】
ステップＳｔ３５では、対象者（H）の嘘の有無の判定が行われる。具体的に、上記ステップＳｔ３１〜Ｓｔ３４が実行される際には、取調員が適宜質問を行い、この質問に対して対象者（H）が回答するやりとりが繰り返される。そして、ステップＳｔ３４では、質問に対する対象者（H）の回答のタイミングに合わせて、対象者（H）の心拍ゆらぎが抽出・記憶される。嘘判定部（41）は、この心拍ゆらぎに基づいて対象者（H）の嘘の有無を判定する。
【０１１２】
より詳細に、嘘判定部（41）は、心拍ゆらぎに基づき、実施形態１のストレス判定部（38）と同様にして、ＬＦ／ＨＦ、ＨＦ、ＬＦを求める。これらの値は、対象者（H）の緊張度、即ち、嘘の有無を判別する指標となる。従って、嘘判定部（41）は、これらの指標に基づいて、対象者（H）の回答が嘘か否かを判定する。対象者（H）が嘘をついていることを判定する方法は、上記ストレス判定部（38）においてストレス度が大きいと判定する方法と同じである。また、対象者（H）が嘘をついていないことを判定する方法は、上記ストレス判定部（38）においてストレス度が小さいと判定する方法と同じである。
【０１１３】
対象者（H）が嘘をついていると判定されると、端末部（52）の表示部（53）にその旨が表示される（ステップＳｔ３６）。これにより、取調員は、適宜繰り返される質問に対し、対象者（H）が嘘をついたか否かをそれぞれ判定することができる。
【０１１４】
実施形態４においても、実施形態１と同様、対象者（H）が人情報判定装置（10）の存在を気づかないため、対象者（H）の嘘の有無の判定精度を向上できる。それ以外の作用効果は、上記実施形態１と同様である。
【産業上の利用可能性】
【０１１５】
以上説明したように、本発明は、生体情報取得装置、及びそれを備えた人情報判定装置について有用である。
【符号の説明】
【０１１６】
10      人情報判定装置
20      感圧チューブ
21a     開口
22      感圧部本体
23      中継部
30      判定ユニット
31      マイクロフォン（受圧部）
32      生体情報検出部
33      判定部
38      ストレス判定部
39      不審者判定部
40      在・不在判定部
41      嘘判定部
45      生体情報取得装置
60      座部
H       対象者
【図１】
2016101307.tif 000003
【図２】
2016101307.tif 000004
【図３】
2016101307.tif 000005
【図４】
2016101307.tif 000006
【図５】
2016101307.tif 000007
【図６】
2016101307.tif 000008
【図７】
2016101307.tif 000009
【図８】
2016101307.tif 000010
【図９】
2016101307.tif 000011
【図１０】
2016101307.tif 000012
【図１１】
2016101307.tif 000013
【図１２】
2016101307.tif 000014
【図１３】
2016101307.tif 000015
【図１４】
2016101307.tif 000016
【図１５】
2016101307.tif 000017